(57)【要約】【課題】デコレーション絵文字を始めとする特殊文字の選択がしやすい電子機器を提供する。【解決手段】ディスプレイ１１と、キー操作部１２と、ディスプレイ１１の表示を制御するとともに、キー操作部１２による入力情報を処理する制御部３０とを備え、制御部３０は、入力された文字列がディスプレイ１１上で未確定文字列である場合に、未確定文字列に関連付けられた特殊文字を記憶部３０ｂから読み出し、ディスプレイ１１の所定領域に表示する際に、記憶部３０ｂ内に、同じ特殊文字が複数存在する場合には、１つのみを表示する。【選択図】図２
2012137806.tif 000002
【特許請求の範囲】
【請求項１】
表示部と、
入力部と、
前記表示部の表示を制御するとともに、前記入力部による入力情報を処理する制御部と、を備え、
前記制御部は、
前記入力部により入力された文字列が前記表示部上で未確定文字列である場合に、前記未確定文字列に関連付けられた特殊文字を所定の記憶部から読み出し、前記表示部上の所定領域上に表示する際に、前記所定の記憶部内に、同じ特殊文字が複数存在する場合には、１つのみを前記所定領域上に表示することを特徴とする、電子機器。
【請求項２】
前記所定の記憶部は、
予め定めたキーワードによって、複数の特殊文字を分類して格納し、
前記制御部は、
前記未確定文字列の文言に対応する前記キーワードが存在する場合には、該キーワードによって分類されたカテゴリに含まれる前記特殊文字を前記所定の記憶部から読み出して前記所定領域上に表示するのに先だって、前記カテゴリに含まれる全ての前記特殊文字について、それぞれを互いに照合して重複するものを検出することで、前記同じ特殊文字の存在の有無を確認する、請求項１記載の電子機器。
【請求項３】
前記特殊文字は、ＧＩＦまたはＪＰＥＧの形式で構成されたデコレーション絵文字である、請求項２記載の電子機器。
【請求項４】
前記制御部は、
パターンマッチングにより前記カテゴリに含まれる全ての前記特殊文字についての照合を行う、請求項３記載の電子機器。
【発明の詳細な説明】
【技術分野】
【０００１】
本発明は電子機器に関し、特に、携帯性を有しメーリング機能を有した電子機器に関する。
【背景技術】
【０００２】
携帯性を有しメーリング機能を有した電子機器、例えば携帯無線端末においては、近年、文書データのメール送信の際に絵文字や顔文字を挿入することで、複数の文字で表現する文章を絵文字や顔文字で表現することが頻繁に行われている。
【０００３】
このような絵文字や顔文字を含む文書を作成する場合には、例えば特許文献１で開示されるように、入力する直前の文字列をキーワードにして絵文字や顔文字を入力候補として表示する技術が提案されている。
【０００４】
また、最近では、絵文字や顔文字の他にデコレーション絵文字と呼称される、画像データで構成された絵文字も普及している。絵文字や顔文字が文字コードで規定されているのに対し、デコレーション絵文字は、ＧＩＦやＪＰＥＧなどの画像として作成されている。デコレーション絵文字は、画像で構成されているので、複数の画像を連続的に切り替えて表示することで絵文字に変化を与えることもできる。なお、本願においては、絵文字、顔文字およびデコレーション絵文字を特殊文字と呼称する。
【先行技術文献】
【特許文献】
【０００５】
【特許文献１】特開２００８−１２９６８７号公報
【発明の概要】
【発明が解決しようとする課題】
【０００６】
以上説明したように、デコレーション絵文字が普及しつつある昨今では、絵文字や顔文字と同様に、確定する直前の文字列をキーワードにして複数のデコレーション絵文字を入力候補として表示する携帯無線端末も存在している。
【０００７】
このような携帯無線端末では、デコレーション絵文字は、予め２０００種類以上がプリセットされ、種類別に分類されてテーブル等に格納されている。
【０００８】
しかし、デコレーション絵文字はこれだけに限定されるものではなく、個人的に作成したものがインターネット等の公衆送信網を介してダウンロードして使用する場合もある。この場合、自らが選択して取り込む場合もあれば、他人から勧められて取り込む場合もあり、気付かないうちに同じデコレーション絵文字を複数取り込んでいる可能性もありえる。
【０００９】
このような場合、携帯無線端末内に同じデコレーション絵文字が複数記憶されることとなり、それらが表示されると画面が煩雑になり、ユーザーにとってデコレーション絵文字の選択がしにくくなるという問題があった。
【００１０】
本発明は上記のような問題点を解消するためになされたもので、デコレーション絵文字を始めとする特殊文字の選択がしやすい電子機器を提供することを目的とする。
【課題を解決するための手段】
【００１１】
上記課題を解決するため、本発明に係る電子機器は、表示部と、入力部と、前記表示部の表示を制御するとともに、前記入力部による入力情報を処理する制御部とを備え、前記制御部は、前記入力部により入力された文字列が前記表示部上で未確定文字列である場合に、前記未確定文字列に関連付けられた特殊文字を所定の記憶部から読み出し、前記表示部上の所定領域上に表示する際に、前記所定の記憶部内に、同じ特殊文字が複数存在する場合には、１つのみを前記所定領域上に表示する。
【００１２】
本発明に係る電子機器の一態様は、前記所定の記憶部が、予め定めたキーワードによって、複数の特殊文字を分類して格納し、前記制御部は、前記未確定文字列の文言に対応する前記キーワードが存在する場合には、該キーワードによって分類されたカテゴリに含まれる前記特殊文字を前記所定の記憶部から読み出して前記所定領域上に表示するのに先だって、前記カテゴリに含まれる全ての前記特殊文字について、それぞれを互いに照合して重複するものを検出することで、前記同じ特殊文字の存在の有無を確認する。
【００１３】
本発明に係る電子機器の一態様は、前記特殊文字が、ＧＩＦまたはＪＰＥＧの形式で構成されたデコレーション絵文字である。
【００１４】
本発明に係る電子機器の一態様は、前記制御部が、パターンマッチングにより前記カテゴリに含まれる全ての前記特殊文字についての照合を行う。
【発明の効果】
【００１５】
本発明に係る電子機器によれば、同じ特殊文字が複数存在する場合に１つのみを所定領域上に表示するので、同じ特殊文字が幾つも所定領域上に表示されることがなく、当該所定領域が煩雑にならず、ユーザーにとって特殊文字の選択が容易となる。
【００１６】
本発明に係る電子機器の一態様によれば、同じカテゴリに含まれる全ての特殊文字について、それぞれを互いに照合して重複するものを検出することで、同じ特殊文字の存在の有無を確認でき、同じ特殊文字が複数存在するか否かを知ることができる。
【００１７】
本発明に係る電子機器の一態様によれば、デコレーション絵文字の選択が容易となる。
【００１８】
本発明に係る電子機器の一態様によれば、特殊文字についての照合を技術的に確立されたパターンマッチングにより行うので、実現が容易である。
【図面の簡単な説明】
【００１９】
【図１】本発明に係る携帯無線端末を開いた状態の外観形状を示す図である。
【図２】本発明に係る携帯無線端末の電気的な構成を示すブロック図である。
【図３】本発明に係る携帯無線端末におけるデコレーション絵文字の表示動作を説明するフローチャートである。
【図４】本発明に係る携帯無線端末におけるデコレーション絵文字の表示動作を説明する図である。
【図５】本発明に係る携帯無線端末におけるデコレーション絵文字の表示動作を説明する図である。
【図６】本発明に係る携帯無線端末におけるデコレーション絵文字の表示動作を説明する図である。
【発明を実施するための形態】
【００２０】
＜実施の形態１＞
以下、本発明の実施の形態として、本発明に係る電子機器を折り畳み式の携帯無線端末に適用した例について説明する。なお、本発明の適用はこれに限定されるものではなく、少なくとも１つのタッチパネルを有し、そこに表示されたソフトウエアキーにより入力を行う携帯無線端末に対しても適用可能であるし、また携帯無線端末に限定されるものではなく、例えば、ＰＤＡ（Personal Digital Assistant）など、携帯性を有し、キー入力により情報を入力する電子機器にも適用可能である。
【００２１】
図１は、本発明を適用した折り畳み式の携帯無線端末１００の外観形状を示す図であり、図１は、携帯無線端末１００を開いた状態の図である。
【００２２】
携帯無線端末１００は、図１に示すように、第１筐体である表示部側筐体１０と、第２筐体である操作部側筐体２０とを備えている。表示部側筐体１０と操作部側筐体２０とは、例えば、図示されないヒンジ部を介して連結されており、携帯無線端末１００を開状態および閉状態に変更可能に構成されている。なお、携帯無線端末１００を開状態とした場合、操作部側筐体２０の側を下側、その反対を上側と呼称する。
【００２３】
すなわち、ヒンジ部は、表示部側筐体１０と操作部側筐体２０とを、任意の角度で開閉可能に連結している。ここで、閉状態とは、表示部側筐体１０と操作部側筐体２０とが互いに重なるように配置された状態であり、開状態（図１）とは、表示部側筐体１０と操作部側筐体２０とが互いに重ならないように配置された状態を指す。
【００２４】
操作部側筐体２０は、入力部としてのキー操作部１２を有している。ここで、キー操作部１２は、電話番号の数字やメール等の文字等を入力するためのテンキー等の入力操作キー２２、クリアーキー２３１や、電源キー２３２など、各種機能を作動させるための機能設定操作キー２３、各種操作における決定や上下左右方向のスクロール等を行う決定操作キー２４などを有している。
【００２５】
表示部側筐体１０は、携帯無線端末１００を開くことで露出するディスプレイ１１（表示部）を有している。また、表示部側筐体１０には、音声出力部としてのスピーカ１８が格納されており、スピーカ１８は、ディスプレイ１１が設けられた面の上側端部近傍に設けられている。また、操作部側筐体２０には、音声入力部としてのマイク１９や格納されており、マイク１９は、操作キー群２５が設けられた面の下側端部近傍に設けられている。
【００２６】
＜電気的構成＞
図２は携帯無線端末１００の電気的な構成を示すブロック図である。図２に示されるように、携帯無線端末１００は、ディスプレイ１１、キー操作部１２、音声出力部（スピーカ）１８、音声入力部（マイク）１９、制御部３０および無線通信部３１を備えている。なお、制御部３０および無線通信部３１は、操作部側筐体２０内に収められている。
【００２７】
制御部３０は、ＣＰＵ３０ａおよび記憶部３０ｂ等を備えており、キー操作部１２の複数のキーによるキー入力による情報を処理するとともに、携帯無線端末１００の他の構成要素を制御することによって、携帯無線端末１００の動作を統括的に管理する。記憶部３０ｂは、ＲＯＭおよびＲＡＭ等で構成されている。制御部３０の各種機能は、ＣＰＵ３０ａが記憶部３０ｂ内の各種プログラムを実行することによって実現される。
【００２８】
無線通信部３１は、携帯無線端末１００とは別の携帯無線端末や、インターネットに接続されたＷｅｂサーバ等の通信装置からの無線信号をアンテナ３１ａで受信し、受信信号に対して増幅処理やダウンコンバートを行って制御部３０に出力する。また無線通信部３１は、制御部３０で生成された送信信号に対してアップコンバートや増幅処理を行って、処理後の送信信号をアンテナ３１ａを通じて、携帯無線端末１００とは別の携帯無線端末や、インターネットに接続された通信装置に対して無線送信する。
【００２９】
音声入力部１９は、外部から入力される音声を音声データに変換して制御部３０に出力する。音声出力部１８は、制御部３０からの音声データを音声に変換して外部に出力する。
【００３０】
また、制御部３０は絵文字照合部３０ｃを有し、記憶部３０ｂ内に記憶されたデコレーション絵文字（特殊文字）のそれぞれを照合し、重複するものの存在を検出する構成となっている。
【００３１】
ディスプレイ１１は、制御部３０によって制御されることによって、文字、記号、図形などの各種情報を表示する。
【００３２】
なお、上述した携帯無線端末１００においては、１つのディスプレイ１１のみを有する構成として示したが、例えば表示部側筐体１０のディスプレイ１１が設けられた面とは反対側の面にディスプレイを有する構成であっても良い。また、キー操作部１２は、押しボタン式のキーにより構成されるものとして説明したが、タッチパネル機能により実現されるタッチキー（ソフトウエアキー）により構成しても良い。その場合、１つのディスプレイを有する構成において、当該ディスプレイ上にタッチキーを表示する構成や、複数のディスプレイを有する構成において、１つのディスプレイにタッチキーを表示する構成を採ることができる。
【００３３】
＜動作＞
次に、図３に示すフローチャートを用いて、図４〜図６を参照しつつ携帯無線端末１００におけるデコレーション絵文字の表示動作について説明する。
【００３４】
図３には、携帯無線端末１００において、キー操作部１２での所定のキー操作によりディスプレイ１１にメール画面を表示させてメール本文の入力を開始した後の動作を示している。
【００３５】
メール本文の入力作業において、ある文字列が未確定な状態において、当該文字列に適したデコレーション絵文字を挿入したいと考えた場合、デコレーション絵文字モードを選択する（ステップＳ１）。
【００３６】
すなわち、ディスプレイ１１に表示されたメール画面において、デコレーション絵文字に変換したい文字列を未確定な状態（カーソルで選択された状態）とし、デコレーション絵文字のモードを選択すると、当該文字列に関連付けられたデコレーション絵文字の一覧が表示される。
【００３７】
図４には、この状態のメール画面を示しており、メール画面には、メール本文領域５０と、カーソル５１と、絵文字一覧領域５２と、ソフトウエアキーである決定キー５３が表示されている。
【００３８】
図４においては、メール本文領域５０中の未確定文字列「おげんき」がカーソル５１によって選択され、選択された文字列に関連付けられた複数のデコレーション絵文字が、変換候補として絵文字一覧領域５２に表示されている。
【００３９】
ここで、デコレーション絵文字は、制御部３０（図２）の記憶部３０ｂ内に、キーワードごとに分類されて格納されており、絵文字一覧領域５２に表示されるデコレーション絵文字は、記憶部３０ｂ内において、例えば「元気」というキーワードに関連するデコレーション絵文字として分類されたものであり、メール本文領域５０に入力された文字列「おげんき」がカーソル５１によって囲まれた未確定の状態で、決定キー５３を押すことで、絵文字一覧領域５２に表示されたものである。
【００４０】
なお、デコレーション絵文字を分類するキーワードは、１つのカテゴリに１つとは限らず、例えば「元気」、「はつらつ」、「バイタリティ」などは、共に１つのカテゴリに含まれるように設定しても良い。
【００４１】
なお、デコレーション絵文字は、記憶部３０ｂ内に格納されるものとしたが、記憶部３０ｂとは別に、制御部３０外に設けたＲＡＭ等の書き込み、読み出しが自在の記憶装置に格納する構成としても良い。
【００４２】
ここで、デコレーション絵文字のモードを選択して、図４に示すように、変換候補のデコレーション絵文字を絵文字一覧領域５２に表示するまでには、ステップＳ２〜Ｓ５の処理が必要である。
【００４３】
すなわち、文字列によっては、デコレーション絵文字が関連付けられていないものも存在するので、デコレーション絵文字のモードを選択すると、まず、選択した文字列に関連付けられたデコレーション絵文字が存在するか否かの確認を行う（ステップＳ２）。
【００４４】
この処理は、記憶部３０ｂ内に、選択した文字列に対応するキーワードがあるか否かを確認することで実行され、対応するキーワードがない場合には、絵文字一覧領域５２には何も表示せず、次のデコレーション絵文字の変換候補が入力されるのを待つ。
【００４５】
一方、ステップＳ２で対応するキーワードがあると判断された場合には、ステップＳ３において、デコレーション絵文字の照合を行う。
【００４６】
すなわち、携帯無線端末１００では、予めプリセットされたデコレーション絵文字が記憶部３０ｂ内に格納されているが、ユーザーによってインターネット等の公衆送信網を介してダウンロードしたデコレーション絵文字も、記憶部３０ｂ内に分類して格納するように構成することは可能である。
【００４７】
この場合、同じデコレーション絵文字を複数取り込む可能性があり、記憶部３０ｂ内には同じデコレーション絵文字が重複して存在する可能性がある。そこで、制御部３０の絵文字照合部３０ｃにおいて、選択された文字列に対応するキーワードによって分類されたカテゴリに含まれる複数のデコレーション絵文字について、それぞれを互いに照合し、重複するものの存在を検出する。
【００４８】
この照合動作としては、例えばパターンマッチングによる画像比較が考えられ、パターンマッチングとしては、マスターパターンをターゲットパターンに対し位置を移動させながら、重ね合わせの残差が最小になる点を求める残差マッチングや、画像のエッジ情報を用いた幾何マッチングなどが考えられる。パターンマッチングは確立された技術であり、実現が容易という利点がある。なお、デコレーション絵文字は、例えば２０×２０ドット程度の画像であるので、１回のパターンマッチングに費やす時間は少なく、複数のデコレーション絵文字が存在する場合でも照合に時間はかからない。
【００４９】
なお、絵文字照合部３０ｃは、ＤＳＰ（Digital Signal Processor）などで構成することができるが、ＣＰＵ３０ａの１つの機能部として構成しても良い。
【００５０】
ステップＳ４では、ステップＳ３での照合の結果に基づいて、重複するデコレーション絵文字の有無の判定を行い、重複するデコレーション絵文字がないと判定された場合は、選択された文字列に対応するキーワードによって分類されたカテゴリに含まれる複数のデコレーション絵文字を絵文字一覧領域５２に表示する（ステップＳ８）。
【００５１】
一方、ステップＳ４において重複するデコレーション絵文字があると判定された場合は、重複しているデコレーション絵文字については、１つのみを絵文字一覧領域５２に表示する（ステップＳ５）。この結果、同じデコレーション絵文字が幾つも絵文字一覧領域５２に表示されることがない。
【００５２】
なお、図４の絵文字一覧領域５２では、重複するデコレーション絵文字が存在していないが、これは、ステップＳ２〜Ｓ５、Ｓ８の処理を経た結果である。
【００５３】
変換候補のデコレーション絵文字が絵文字一覧領域５２に表示された後は、キー操作部１２でのキー操作により、絵文字一覧領域５２に表示されたデコレーション絵文字の中から、何れかを選択する（ステップＳ６）。図５は、この状態でのメール画面を示しており、ここでは、絵文字一覧領域５２の１つを選択するようにソフトウエアキーである方向キー５６および５７によってカーソル５１を移動させ、ソフトウエアキーである選択キー５５を押して確定することで、未確定文字列であった文字列「お元気」が確定されて確定文字列となる。
【００５４】
なお、図４の確定キー５３や、図５の選択キー５５、方向キー５６および５７は、キー操作部１２での所定のキーと対応しており、キー操作部１２での対応するキーを押すことで、各々のソフトウエアキーを操作できるように設定されている。
【００５５】
最後に、選択キー５５を再度押すことで、図６に示すように選択されたデコレーション絵文字がメール本文領域５０の表示文字列の代わりに挿入される（ステップＳ７）。なお、デコレーション絵文字の挿入位置は、選択キー５５を再度押す前に、メール本文領域５０内にあるカーソルの位置を方向キー５６および５７により移動させることで、任意の位置に挿入することができる。
【００５６】
デコレーション絵文字の挿入が終了した後は、再びメール本文の入力を続行する。
【００５７】
以上説明したように、携帯無線端末１００においては、デコレーション絵文字を選択する際に、同じデコレーション絵文字が幾つも絵文字一覧領域５２に表示されることがないので、絵文字一覧領域５２が煩雑にならず、ユーザーにとってデコレーション絵文字の選択がしやすいという利点がある。
【００５８】
＜変形例＞
以上の説明においては、特殊文字としてデコレーション絵文字を例に採って説明したが、顔文字や絵文字についても本発明の適用は可能である。
【００５９】
市販されている携帯無線端末においては、顔文字や絵文字についても、入力された文字列と関連付けて表示する機能を有するものもあるので、本発明は有効である。
【００６０】
なお、顔文字や絵文字は文字コードで規定されるので、重複するものを検出するための照合作業においては、文字コードどうしを比較すれば良いので、画像比較を行うデコレーション絵文字よりは照合作業が容易となる。
【符号の説明】
【００６１】
１１  ディスプレイ
１２  キー操作部
３０  制御部
【図１】
2012137806.tif 000003
【図２】
2012137806.tif 000004
【図３】
2012137806.tif 000005
【図４】
2012137806.tif 000006
【図５】
2012137806.tif 000007
【図６】
2012137806.tif 000008